(57)【要約】【課題】超音波振動を伝達する振動伝達部材と超音波振動源とを接続するネジ部が磨耗しないようにして、超音波振動源全体を取り替えなくて済むようにする。【解決手段】超音波振動源が発生する超音波振動を伝達する振動伝達部材2と歯科用チップ8との間に中継ジョイント部材9を介在させ、中継ジョイント部材9の振動伝達部材2接続側のネジ径を歯科用チップ8接続側のネジ径より大きくし、または振動伝達部材2接続側におけるネジのリード角を歯科用チップ8接続側におけるねじのリード角より小さくすることで振動伝達部材2接続側の締め付けトルクを歯科用チップ8接続側より大きくして、中継ジョイント部材9の振動伝達部材2接続側ネジ部の振動による戻りを防止し、戻ることによるネジ部の磨耗を防止する。【選択図】図１
2013106827.tif 000002
【特許請求の範囲】
【請求項１】
超音波振動源と超音波振動源から発生した超音波振動を伝達する振動伝達部材とからなる超音波振動子と、該超音波振動子の先端部に着脱自在に接続する歯科用チップとを有する超音波スケーラハンドピースにおいて、
前記振動伝達部材と前記歯科用チップとの間に超音波振動を伝達する中継ジョイント部材を設け、該中継ジョイント部材と前記振動伝達部材との間、及び該中継ジョイント部材と前記歯科用チップとの間をネジにて接続することを特徴とする超音波スケーラハンドピース。
【請求項２】
前記中継ジョイント部材の前記振動伝達部材接続側を雌ネジに形成するとともに該雌ネジに接続する振動伝達部材側を雄ネジに形成し、前記中継ジョイント部材の前記歯科用チップ接続側を雄ネジに形成するとともに該雄ネジに接続する前記歯科用チップ側を雌ネジに形成することを特徴とする請求項１記載の超音波スケーラハンドピース。
【請求項３】
前記中継ジョイント部材の全体をネジ軸に形成し、該中継ジョイント部材の後端側に前記振動伝達部材を螺合し、該中継ジョイント部材の先端側に前記歯科用チップを螺合することを特徴とする請求項１記載の超音波スケーラハンドピース。
【請求項４】
前記中継ジョイント部材の両端に形成するネジの締め付けトルクは、前記中継ジョイント部材の前記振動伝達部材接続側ネジの締め付けトルクが、該中継ジョイント部材の前記歯科用チップ接続側ネジの締め付けトルクより大きいことを特徴とする請求項１、２または３記載の超音波スケーラハンドピース。
【請求項５】
前記中継ジョイント部材の両端に形成するネジ径は、前記中継ジョイント部材の前記振動伝達部材接続側のネジ径が、該中継ジョイント部材の前記歯科用チップ接続側のネジ径より大きく、前記中継ジョイント部材の前記振動伝達部材接続側ネジの締め付けトルクが、該中継ジョイント部材の前記歯科用チップ接続側ネジの締め付けトルクより大きいことを特徴とする請求項１、２、３または４記載の超音波スケーラハンドピース。
【請求項６】
前記中継ジョイント部材の両端に形成するネジのリード角は、前記中継ジョイント部材の前記振動伝達部材接続側ネジのリード角が前記歯科用チップ接続側ネジのリード角より小さく、前記中継ジョイント部材の前記振動伝達部材接続側ネジの締め付けトルクが、該中継ジョイント部材の前記歯科用チップ接続側ネジの締め付けトルクより大きいことを特徴とする請求項１、２、３または４記載の超音波スケーラハンドピース。
【発明の詳細な説明】
【技術分野】
【０００１】
本発明は、医療、歯内治療、予防処置などの歯科治療を行なう超音波スケーラハンドピースに関し、特に前記ハンドピースにおける歯科用チップ取り付け部の磨耗や故障による組み付け不良を解決し、容易かつ安価に修理及び交換ができる超音波スケーラハンドピースに関する。
【背景技術】
【０００２】
従来の超音波スケーラハンドピースは、図5に示すように、超音波振動源(圧電素子)1と振動伝達部材（ホーン）2とが一体形成された超音波振動子3と、治療箇所に有効に作用する歯科用チップ4とが別体として形成されており、歯科用チップ4が振動伝達部材2の先端にネジ5a、5bを介して着脱自在に構成されている。その他の例として、超音波振動源1と振動伝達部材2との相互間を、図示しないネジを介して接続し、振動伝達部材2の先端部に歯科用チップ4をワンタッチで着脱自在に構成されたものなどがある。
【０００３】
上記従来の例として、トルクレンチを使用して歯科用チップ4を振動伝達部材2に着脱するものや、特許文献１に開示されているような超音波振動源から延び、超音波振動源が発生する振動を伝達する振動伝達部材と、この振動伝達部材の先端部にワンタッチで着脱可能に接続され、歯科治療に適合した先端形状を有する歯科用チップとを備えた歯科用チップ装置が公知である。この場合、歯科用チップを前記振動伝達部材の先端部に対して強く押し込み、または引き抜くことでワンタッチ着脱が可能となっている。
【０００４】
しかしながら、前記従来の超音波振動源1と振動伝達部材2との相互間を、ネジを介して接続した超音波スケーラハンドピースにおいては、超音波振動源1の先端部に接続された振動伝達部材2を、歯科治療に際して、通常は患者ごとに滅菌を行うため、超音波振動源1との間を頻繁に着脱している。これにより振動伝達部材2と超音波振動源1とを接続するネジ部が磨耗する。つまり、このネジ部が磨耗すると振動伝達部材2を超音波振動源1に確実に締め付けることができなくなるので締め付けが不完全になり、超音波振動で振動伝達部材が緩みやすくなる。ネジ部が緩むとネジ部の磨耗が更に進行し、ネジ部のガタが大きくなる。従ってこのようにネジ部が磨耗した状態では組み付けが不完全になり振動を確実に伝達することができなくなるので、ネジ部が磨耗した超音波振動源は新しいものと交換しなければならなくなるという問題がある。
また、特許文献１は歯科用チップの先端部分のみがワンタッチで着脱可能であり、実際に口腔内に挿入される部分は伝達部材Ｂまで含まれる。そのため、伝達部材Ｂも滅菌の必要があり、伝達部材Ｂを取り外す場合には、上記のようにトルクレンチを使用するため、伝達部材Ｂのネジ部に磨耗が生じる。
【先行技術文献】
【特許文献】
【０００５】
【特許文献１】特許第3668357号公報
【発明の概要】
【発明が解決しようとする課題】
【０００６】
解決しようとする問題点は、振動伝達部材と超音波振動源とを接続するネジ部が磨耗すると振動伝達部材と超音波振動源との間を確実に接続することができなくなって、組み付け不良が生じるため、ネジ部が磨耗した超音波振動源まで交換しなければならなくなることである。
【課題を解決するための手段】
【０００７】
上記課題を解決するために本発明の超音波スケーラハンドピースの請求項１は、超音波振動源と超音波振動源から発生した超音波振動を伝達する振動伝達部材とからなる超音波振動子と、該超音波振動子の先端部に着脱自在に接続する歯科用チップとを有する超音波スケーラハンドピースにおいて、
前記振動伝達部材と前記歯科用チップとの間に超音波振動を伝達する中継ジョイント部材を設け、該中継ジョイント部材と前記振動伝達部材との間、及び該中継ジョイント部材と前記歯科用チップとの間をネジにて接続することを特徴とする。
【０００８】
請求項２は、請求項１記載の超音波スケーラハンドピースにおいて、前記中継ジョイント部材の前記振動伝達部材接続側を雌ネジに形成するとともに該雌ネジに螺合する振動伝達部材側を雄ネジに形成し、前記中継ジョイント部材の前記歯科用チップ接続側を雄ネジに形成するとともに該雄ネジに螺合する前記歯科用チップ側を雌ネジに形成することを特徴とする。
【０００９】
請求項３は、請求項１記載の超音波スケーラハンドピースにおいて、前記中継ジョイント部材の全体をネジ軸に形成し、該中継ジョイント部材の後端側に前記振動伝達部材を接続し、該中継ジョイント部材の先端側に前記歯科用チップを接続することを特徴とする。
【００１０】
請求項４は、請求項１、２または３記載の超音波スケーラハンドピースにおいて、前記中継ジョイント部材の両端に形成するネジの締め付けトルクは、前記中継ジョイント部材の前記振動伝達部材接続側ネジの締め付けトルクが、該中継ジョイント部材の前記歯科用チップ接続側ネジの締め付けトルクより大きいことを特徴とする。
【００１１】
請求項５は、請求項１、２または３記載の超音波スケーラハンドピースにおいて、前記中継ジョイント部材の両端に形成するネジ径は、前記中継ジョイント部材の前記振動伝達部材接続側のネジ径が、該中継ジョイント部材の前記歯科用チップ接続側のネジ径より大きく、前記中継ジョイント部材の前記振動伝達部材接続側ネジの締め付けトルクが、該中継ジョイント部材の前記歯科用チップ接続側ネジの締め付けトルクより大きいことを特徴とする。
【００１２】
請求項6は、請求項１、２または３記載の超音波スケーラハンドピースにおいて、前記中継ジョイント部材の両端に形成するネジのリード角は、前記中継ジョイント部材の前記振動伝達部材接続側ネジのリード角が前記歯科用チップ接続側ネジのリード角より小さく、前記中継ジョイント部材の前記振動伝達部材接続側ネジの締め付けトルクが、該中継ジョイント部材の前記歯科用チップ接続側ネジの締め付けトルクより大きいことを特徴とする。
【発明の効果】
【００１３】
本発明の超音波スケーラハンドピースは、振動伝達部材と歯科用チップとの間に中継ジョイント部材を介在させ、中継ジョイント部材の振動伝達部材接続側ネジ部の締め付けトルクを、中継ジョイント部材の歯科用チップ接続側ネジ部の締め付けトルクより大きくしたことにより、中継ジョイント部材の振動伝達部材接続側ネジ部が振動が作用しても戻りにくくなり、磨耗しなくなるので、歯科用チップ接続側のネジが磨耗した際に中継ジョイント部材のみを交換するだけで済む。これにより従来のように超音波振動源まで交換することがなくなり、修理が容易かつ安価になる。
【図面の簡単な説明】
【００１４】
【図１】は超音波スケーラハンドピースの断面図である。（実施例１）
【図２】は中継ジョイント部材の断面図である。（実施例１）
【図３】は超音波スケーラハンドピースの主要部分解図である。（実施例１）
【図４】（a）はネジ軸に形成した中継ジョイント部材を振動伝達部材先端に装着した側面図、（b）はネジ軸に形成した中継ジョイント部材を振動伝達部材先端に装着した一部断面図、（c）はネジ軸に形成した中継ジョイント部材の側面図である。（実施例２）
【図５】は従来の超音波スケーラハンドピースの説明図である。
【発明を実施するための形態】
【００１５】
超音波スケーラハンドピースのメンテナンスで、超音波振動源まで取り替えなくても済むようにするという目的で、振動達部材と歯科用チップとの間に中継ジョイント部材を介在させたことにより僅かな費用で修理することを実現した。
【実施例１】
【００１６】
初めに超音波スケーラハンドピースを使用するに際に行われる基本内容について説明する。超音波スケーラハンドピースの先端に装着する歯科用チップは、歯面，歯間、歯肉縁下のスケーリング（歯石取り）やイリゲーション（虫歯を削った後の歯の穴や歯周ポケットなどをきれいに洗浄すること）を行う際に歯の湾曲や左側・右側での当て方に対応した形状の歯科用チップに付け替えて治療を行っている。この歯科用チップは治療した患者ごとに使用後に専用器具（トルクレンチ）で取り外し、滅菌している。
【００１７】
上記のように取り扱われる本発明の超音波スケーラハンドピースは、図1に示すように、後方に裏打板6が固定された超音波振動源1（圧電素子）の先方に、超音波振動源1にて発生した振動を伝達する振動伝達部材（ホーン）2が一体的に連結された超音波振動子3が筐体7に内蔵されており、この振動伝達部材2の先方に歯科用チップ8が接続されている。
【００１８】
本実施例は、この振動伝達部材2と歯科用チップ8との間に、図1、図2及び図3に示す中継ジョイント部材9を介在させ、中継ジョイント部材9と前記振動伝達部材2との間、及び中継ジョイント部材9と歯科用チップ8との間を、ネジにて着脱自在に接続する構成になっている。この場合のネジは、中継ジョイント部材9の振動伝達部材2接続側を雌ネジ10b、振動伝達部材2側を雄ネジ10aとしてこの両者を螺合させ、中継ジョイント部材9の歯科用チップ8接続側を雄ネジ11a、歯科用チップ8側を11bとしてこの両者を螺合させている。なお前記中継ジョイント部材の両端に形成するネジは、中継ジョイント部材9の振動伝達部材2接続側を雄ネジ、振動伝達部材2側を雌ネジにしてもよい。
【００１９】
また、中継ジョイント部材9と振動伝達部材2との間を接続するネジ10a、10bの締め付けトルクは、中継ジョイント部材9と歯科用チップ8との間を接続するネジ11a、11bの締め付けトルクより大きくし、振動が作用しても振動伝達部材2側のネジ10a、10bが緩まないようにしている。このために、中継ジョイント部材9の歯科用チップ8接続側ネジ11a、11bの径より振動伝達部材2接続側のネジ10a、10bの径の方を大きくしている。
【００２０】
また、ネジ山のリード角は、例えば中継ジョイント部材9の両端に形成するネジ10b、11aの単位長さ当たり山数が同一な場合（同ピッチの場合）、ネジ10b、11aのリード角は、ネジ径の大きな振動伝達部材2接続側のネジ10a、10bが歯科用チップ8接続側のネジ11a、11bより小さく、ネジ山相互の接触面積は、振動伝達部材2接続側のネジ10a、10b相互の接触面積が、歯科用チップ8接続側のネジ11a、11b相互の接触面積より大きく、振動伝達部材2接続側のネジ10a、10bの方の摩擦抵抗が歯科用チップ8接続側のネジ11a、11bの方より大となり、振動伝達部材2接続側のネジ10a、10bが緩みにくくなっている。
【００２１】
上記構成の本実施例の超音波スケーラハンドピースは、超音波振動源1から発生した超音波振動が振動伝達部材2から中継ジョイント部材9を経て歯科用チップ8に伝達される。この際に、中継ジョイント部材9の振動伝達部材2接続側のネジ10a、10bは上記構成により緩みにくいので磨耗しなくなる。これにより中継ジョイント部材9の歯科用チップ8接続部側のネジ11a、11bが磨耗した際に、中継ジョイント部材9を交換するだけで、超音波振動子3全体を交換しなくて済む。
【実施例２】
【００２２】
本実施例は図4（a）（b）に示すように、前記実施例１において中継ジョイント部材9の一方に雄ネジを、他方に雌ネジを形成したことに替えて、中継ジョイント部材の全体をネジ軸に形成し、その一方の側を振動伝達部材2に螺合し、他方の側を歯科用チップ8に螺合するものである。
【００２３】
前記中継ジョイント部材12は、図4（c）に示すように、本実施例では全長にわたり等径であり、歯科用チップ8を螺合する先端側のネジ12aの長さより、振動伝達部材2に螺合する後端側のネジ12bの長さを長く形成している。またこの場合のネジ12a、12bのリード角は、先端側におけるネジ12aのリード角β1を後端側におけるネジ12bのリード角β2より大きくしている。即ち後端側の方が先端側より細かいネジで、振動伝達部材2に螺合する後端側の締め付けトルクを、歯科用チップ8を接続する先端側の締め付けトルクより大きくしている。これにより振動伝達部材2接続側のネジ12bは戻りにくくなる。
【００２４】
なお、ねじ12a、12bのリード角β1、β2 は必ずしもβ1＞β2にする必要がなく、β1＝β2であっても後端側のネジ12bの長さを充分に長くして螺合長さを長くすることにより振動伝達部材2側の締め付けトルクを大きくしてもよい。またネジ径は、必ずしも全長にわたって等径にする必要がなく、先端側より後端側を大径にすれば大径側の締め付けトルクの方が小径側の締め付けトルクより大きくなる。その他の構成は前記実施例１と同様であるので同一部分には同一符号を付してその説明を省略する。
【００２５】
以上により本実施例の超音波スケーラハンドピースは、前記実施例１と同様な作用効果を奏することができる。
【００２６】
以上、本発明の超音波スケーラハンドピースは、超音波振動を伝達する振動伝達部材2と歯科用チップ8との間に中継ジョイント部材9または12を設け、振動伝達部材2接続側ネジの締め付けトルクを、歯科用チップ8接続側ネジの締め付けトルクより大きくしたことにより振動伝達部材2接続側ネジが緩まなくなり、歯科用チップ8の接続部が磨耗しても中継ジョイント部材9または12を交換するだけで済み、超音波振動源1まで交換する必要がなく、修理が容易かつ安価になる。
【符号の説明】
【００２７】
1  超音波振動源(圧電素子)
2  振動伝達部材(ホーン)
3  超音波振動子
4  歯科用チップ
6  裏打板
7  筐体
8  歯科用チップ
9  中継ジョイント部材
10  振動伝達部材接続側ネジ
11  歯科用チップ接続側ネジ
12  ネジ軸状中継ジョイント部材
【図１】
2013106827.tif 000003
【図２】
2013106827.tif 000004
【図３】
2013106827.tif 000005
【図４】
2013106827.tif 000006
【図５】
2013106827.tif 000007